(57)【要約】      （修正有）【課題】ハンドフリーの無線アイフォーン装置の提供。【解決手段】無線インターネットを介してアイフォーン通信を行え、捲き戻される有線イヤホンが、無線アイフォーンに統合されることにより、ハンドフリーの用途に適用できる。また、本考案は、ブルートゥースイヤホンが、無線アイフォーンに統合されてもよく、ハンドフリーの用途にも適用できる。【選択図】図３
0003134824.tif 000002
【実用新案登録請求の範囲】
【請求項１】
制御モジュールと、
該制御モジュールに接続されるとともに無線インターネットと通信可能とされ、アイフォーン通信サービスを提供する無線アイフォーンモジュールと、
前記制御モジュールに接続されるとともにアナログオーディオとデジタルオーディオとの変換を行うオーディオコーデックユニットと、
該オーディオコーデックユニットに接続されるマイクと、
前記オーディオコーデックユニットに接続されるとともにオーディオ出力経路を切換えるオーディオ切換えモジュールと、
該オーディオ切換えモジュールに接続されるとともに該オーディオ切換えモジュールの切換えに基づいて、オーディオを出力するスピーカーと、
引き出すことと捲き戻すことが可能である通信コードを有するとともに該通信コードの一端が、前記オーディオ切換えモジュールに接続されるコード収納ユニットと、
前記通信コードの他端に接続されるとともに該オーディオ切換えモジュールの切換えに基づいて、オーディオを出力するイヤホンと、
前記オーディオ切換えモジュールと前記コード収納ユニットに接続されるとともに、一端が、高電位信号源に接続され、他端が、低電位信号源と前記オーディオ切換えモジュールに接続される判断ユニットを備え、
該判断ユニットは、前記通信コードの引き出されること又は捲き戻されることにより、スイッチングされて、前記オーディオ切換えモジュールに対して高電位や低電位の判断信号を供給し、前記オーディオ出力の出力切換えを制御するフックスイッチを備えることを特徴とするハンドフリーの無線アイフォーン装置。
【請求項２】
更に、前記オーディオコーデックユニットと前記オーディオ切換えモジュール及び前記マイクに接続されるエコー消去回路を備え、
該エコー消去回路が、前記スピーカーと前記マイクの作動により生成された音響共鳴を消去することを特徴とする請求項１に記載のハンドフリーの無線アイフォーン装置。
【請求項３】
更に、前記制御モジュールに接続されるディスプレーを備えることを特徴とする請求項２に記載のハンドフリーの無線アイフォーン装置。
【請求項４】
更に、前記制御モジュールに接続されるボタンモジュールを備え、
該ボタンモジュールにより、前記制御モジュールに対して電話番号や各機能指令を供給することを特徴とする請求項３に記載のハンドフリーの無線アイフォーン装置。
【請求項５】
更に、前記制御モジュールに接続される記憶ユニットを備え、
該記憶ユニットに、インターネット通信ソフトウェアが格納されることを特徴とする請求項４に記載のハンドフリーの無線アイフォーン装置。
【請求項６】
前記コード収納ユニットに、更に、コード槽とコード捲きロール及び竹の子ばねが備えられ、
前記コード捲きロールと前記竹の子ばねとが、前記コード槽に枢着され、
前記通信コードが、前記コード捲きロールに捲き付くとともに、前記竹の子ばねにより、引き出されることや捲き戻すことができることを特徴とする請求項５に記載のハンドフリーの無線アイフォーン装置。
【請求項７】
前記判断ユニットが、前記通信コードが引き出されるか否かに基づいて、前記オーディオ切換えモジュールを制御して、オーディオを該イヤホン出力に切換え、或いは、前記通信コードが捲き戻されるか否かに基づいて、前記オーディオ切換えモジュールを制御して、オーディオを前記スピーカー出力に切換えすることを特徴とする請求項６に記載のハンドフリーの無線アイフォーン装置。
【請求項８】
信号転送端を備えるブルートゥースイヤホンと、
制御回路板と、
該ブルートゥースイヤホンが収納されるとともに該ブルートゥースイヤホンの信号転送端が前記制御回路板に電気的に接続されるイヤホン収納槽と、
前記制御回路版を備える電話本体を備え、
該制御回路板が、
制御モジュールと、
該制御モジュールに接続されるとともに前記ブルートゥースイヤホンと、
音声無線転送を行うブルートゥースモジュールと、
該制御モジュールに接続されるとともに無線インターネットに通信可能とされるアイフォーン通信サービスを行う無線アイフォーンモジュールと、
該制御モジュールに接続されるとともにアナログオーディオとデジタルオーディオとの変換を行うオーディオコーデックユニットと、
前記制御モジュールに接続されるとともに、前記イヤホン収納槽に、前記ブルートゥースイヤホンが収納されているか否かを判断し、前記イヤホン収納槽に前記ブルートゥースイヤホンが収納されている時、前記ブルートゥースイヤホンに対して充電する判断と充電回路と、
前記制御モジュールと前記ブルートゥースモジュール及び前記オーディオコーデックユニットに接続されるとともに、前記制御モジュールによって制御され、オーディオ転送経路を切換えるオーディオ切換えモジュールと、
スピーカーと、
マイクと、
前記オーディオ切換えモジュールと前記スピーカー及び前記マイクに接続されるとともに前記スピーカーと前記マイクの作動により生成した音響共鳴を消去するエコー消去回路とを備えることを特徴とするハンドフリーの無線アイフォーン装置。
【請求項９】
更に前記制御モジュールに接続されるディスプレーを備えることを特徴とする請求項８に記載のハンドフリーの無線アイフォーン装置。
【請求項１０】
更に、前記制御モジュールに接続されるとともに前記制御モジュールに対して電話番号や各機能指令を供給するボタンモジュールを備えることを特徴とする請求項９に記載のハンドフリーの無線アイフォーン装置。
【請求項１１】
更に、前記制御モジュールに接続される記憶ユニットを備え、
該記憶ユニットに、インターネット通信ソフトウェアとブルートゥース通信ソフトウェアが格納されることを特徴とする請求項１０に記載のハンドフリーの無線アイフォーン装置。
【請求項１２】
前記オーディオ切換えモジュールは、前記ブルートゥースイヤホンが前記イヤホン収納槽に収納される時、オーディオを、前記スピーカー出力に切換え、或いは、前記ブルートゥースイヤホンが、前記イヤホン収納槽から脱離する時、オーディオを前記ブルートゥースのイヤホン出力に切換えることを特徴とする請求項１１に記載のハンドフリーの無線アイフォーン装置。
【考案の詳細な説明】
【技術分野】
【０００１】
本考案は、ハンドフリーの無線アイフォーン装置に関し、特に、無線インターネットを介してアイフォーン通信を行うとともに有線イヤホンモードハンドフリーやブルートゥースイヤホンモードハンドフリーを有する無線アイフォーン装置に関する。
【背景技術】
【０００２】
無線技術の発展とインターネットの普及化に伴って、無線オンラインは、日常生活において、普通に行なわれる行為となってきている。既に、無線インターネットは、人類の生活環境内に綿密に構築されており、この結果、何時でも何処でも、ノートブックや携帯電話を介してオンライン通信することができる。
【０００３】
また、前記の無線インターネットの普及に従って、インターネットを介しての通信は、簡単な電子掲示板（ＢＢＳ）や電子メール（Ｅ−ｍａｉｌ）から、これらの後に発達したインターネットインスタントメッセージング（ＩＣＱ、ＭＳＮなど）に移行してきている。また、インターネットの帯域幅が広くなるとともに、インターネットを介してアイフォーン（ＶｏＩＰ）をダイヤルすることも近年流行している。
携帯電話型の無線アイフォーンが、インターネット通信ソフトウェアを実行し、また、インターネットのホストに対して無線接続することにより、無線アイフォーン通信が実現される。
【考案の開示】
【考案が解決しようとする課題】
【０００４】
しかしながら、携帯電話を利用して無線アイフォーンで通話する時、手で電話機を持ち、この電話機を耳の近くに近付けないと、相手の話を聞き取ることはできない。このように、手で電話機を持ったまま通話するのは、手が疲れ、また、自動車や自転車を走行中であれば、非常に危険である。また、一般の無線アイフォーンは、使用中、通話やスクリーンブラウズ或いはインターネットデータ受信ができないため、通話の品質が低下する。
【課題を解決するための手段】
【０００５】
本考案は、上記の問題点を解消するため、ハンドフリーの無線アイフォーン装置を提供する。この無線アイフォーン装置は、無線インターネットを介してアイフォーン通信を行い、また、有線イヤホンモードハンドフリーやブルートゥースイヤホンモードハンドフリーにより、ハンドフリーの機能を実現する。
また、前記の有線イヤホンモードハンドフリーやブルートゥースイヤホンモードハンドフリーにより、ディスプレーに合わせて、ユーザーが、通話しながら、スクリーンブラウズやインターネットデータを受信でき、そのため、通話の品質が改善される。
【０００６】
本考案の第１の実施例は、ハンドフリーの無線アイフォーン装置を提供する。この無線アイフォーン装置は、制御モジュールと無線アイフォーンモジュール、オーディオコーデックユニット、マイク、オーディオ切換えモジュール、スピーカー、コード収納ユニット、イヤホン及び判断ユニットを備える。
【０００７】
無線アイフォーンモジュールは、制御モジュールに接続される。これにより、無線アイフォーンモジュールは、無線インターネットに通信可能とされ、アイフォーン通信サービスを提供する。
オーディオコーデックユニットは、制御モジュールに接続され、アナログオーディオとデジタルオーディオを変換する。
マイクは、該オーディオコーデックユニットに接続される。
オーディオ切換えモジュールは、該オーディオコーデックユニットに接続され、オーディオ出力経路を切換える。
スピーカーは、オーディオ切換えモジュールに接続され、オーディオ切換えモジュールの切換え作動に従って、オーディオを出力する。
コード収納ユニットは、引き出すことと捲き戻すことが可能である通信コードを備える。通信コードの一端は、オーディオ切換えモジュールに接続され、他端は、イヤホンに接続される。イヤホンは、オーディオ切換えモジュールの切換えに従って、オーディオを出力する。
判断ユニットは、オーディオ切換えモジュールとコード収納ユニットに接続される。通信コードが引き出されるか捲き戻されるかにより、判断ユニットは、オーディオ切換えモジュールの切換えを制御する。
【０００８】
本考案の第２の実施例は、ハンドフリーの無線アイフォーン装置を提供する。この無線アイフォーン装置は、信号転送端を有するブルートゥースイヤホンと、イヤホン収納槽と制御回路板を有する電話本体を備える。イヤホン収納槽には、ブルートゥースイヤホンが収納される。ブルートゥースイヤホンの信号転送端は、制御回路板に電気的に接続される。
【０００９】
制御回路板は、制御モジュールとブルートゥースモジュール、無線アイフォーンモジュール、オーディオコーデックユニット、判断と充電回路、オーディオ切換えモジュール、スピーカー、マイク及びエコー消去回路を備える。
【００１０】
また、ブルートゥースモジュールは、制御モジュールに接続される。これにより、ブルートゥースモジュールは、制御モジュールによって制御され、ブルートゥースイヤホンと、音声無線転送を行う。
無線アイフォーンモジュールは、制御モジュールに接続される。これにより、無線アイフォーンモジュールは、制御モジュールによって制御され、或いは、無線インターネットに通信可能とされ、アイフォーン通信サービスを提供する。
オーディオコーデックユニットは、制御モジュールに接続される。これにより、オーディオコーデックユニットは、制御モジュールによって制御され、アナログオーディオとデジタルオーディオを変換する。
判断と充電回路は、制御モジュールに接続される。判断と充電回路は、イヤホン収納槽に、ブルートゥースイヤホンが収納されているか否かを判断する。イヤホン収納槽にブルートゥースイヤホンが収納されている時、判断と充電回路は、ブルートゥースイヤホンに対して充電する。
オーディオ切換えモジュールは、制御モジュールとブルートゥースモジュール及びオーディオコーデックユニットに接続される。オーディオ切換えモジュールは、制御モジュールによって制御され、オーディオ転送経路を切換える。
エコー消去回路は、オーディオ切換えモジュールとスピーカー及びマイクに接続され、スピーカーとマイクの作動により生成した音響共鳴（ＥＣＨＯ）を消去する。
【００１１】
前記の本考案の第１の実施例と第２の実施例は、それぞれ、有線イヤホンモードハンドフリーとブルートゥースイヤホンモードハンドフリーの手段を、無線アイフォーンに適用し、無線アイフォーンハンドフリーの機能を実現する。これにより、携帯電話を利用して、無線アイフォーンで通話する時、手が疲れることや、自転車や自動車の走行中の危険を防止できる。
【考案を実施するための最良の形態】
【００１２】
以下、図面を参照しながら、本考案の特徴や技術内容について、詳しく説明するが、図面などは、参考や説明のためのものであり、本考案は、それによって制限されることはない。
【００１３】
図１は、本考案の第１の実施例の通信概念図である。
図１に示す如く、本考案のハンドフリーの無線アイフォーン装置（１０）は、無線インターネット（２０）に通信可能とされる。また、無線インターネット（２０）を介して、アイフォーン通信（ＶｏＩＰ）を行う。
ユーザーは、ボタンモジュール（１０３）を操作して、電話番号をダイヤルし、また、かかってきた電話を受けることが可能である。更に、ユーザーは、各アイフォーンの機能を実行可能である。
加えて、ディスプレー（１０２）を用いて、各機能のブラウズを行うことが可能である。無線アイフォーン装置（１０）は、電話を通信する時、ユーザーが、スピーカー（１０４）から受け取った電話からの音声（オーディオ）を聞取り、同時に、マイク（１０５）を介して返事をし、アイフォーンで通信することを可能とする。
【００１４】
図１とともに図２を参照する。
図２は、本考案の操作環境の第１の実施例の概念図である。ユーザー（４）は、本考案に係る無線アイフォーン装置（１０）を装着する。そして、ユーザー（４）は、無線アイフォーン装置（１０）を、無線インターネット（２０）と通信接続状態にする。
無線アイフォーン装置（１０）に電話がかかってくるとき、ユーザー（４）は、手で無線アイフォーン装置（１０）を持ち、直接的に、この無線アイフォーン装置（１０）をユーザー（４）の耳に近付けるようにして、通話することができる。また、ユーザー（４）は、電話装置（１０）のコード収納ユニット（１０１）の通信コード（１０１４）を引き出して、或いは、通信コード（１０１４）に接続されたイヤホン（１００）をユーザー（４）の耳に設置し、または、マイク（１０５）に合わせて、イヤホンハンドフリーモードで通話できる。ユーザー（４）は、イヤホンハンドフリーモードで、通話しながら、スクリーンブラウズや受信インターネットデータの操作を行うことが可能となり、これにより、通話の品質が向上する。
【００１５】
図１とともに図３を参照する。
図３は、本考案の第１の実施例の回路ブロックの概念図である。
本考案の無線アイフォーン装置（１０）は、制御モジュール（１０６）と無線アイフォーンモジュール（１０９）、オーディオコーデックユニット（１０７）、エコー消去回路（１０８）、マイク（１０５）、オーディオ切換えモジュール（１１０）、スピーカー（１０４）、コード収納ユニット（１０１）、イヤホン（１００）、記憶ユニット（１１１）及び判断ユニット（１１２）を備える。
【００１６】
図１と図３を参照する。
無線アイフォーンモジュール（１０９）は、制御モジュール（１０６）に接続される。また、無線アイフォーンモジュール（１０９）は、無線インターネット（２０）にコネクションされ、アイフォーン通信サービスを提供する。
オーディオコーデックユニット（１０７）は、制御モジュール（１０６）に接続され、アナログオーディオとデジタルオーディオとを変換する。
マイク（１０５）は、オーディオコーデックユニット（１０７）に接続される。
オーディオ切換えモジュール（１１０）は、オーディオコーデックユニット（１０７）に接続され、オーディオ出力経路を切換える。
スピーカー（１０４）は、オーディオ切換えモジュール（１１０）に接続され、オーディオ切換えモジュール（１１０）の切換え作動に従って、オーディオを出力する。
コード収納ユニット（１０１）は、引き出すことと捲き戻すことが可能である通信コードを有する。通信コードの一端は、オーディオ切換えモジュール（１１０）に接続され、他端は、イヤホン（１００）に接続される。イヤホン（１００）は、オーディオ切換えモジュール（１１０）の切換え作動に従って、オーディオを出力する。
判断ユニット（１１２）は、オーディオ切換えモジュール（１１０）とコード収納ユニット（１０１）に接続される。通信コードが引き出されているか捲き戻されているかに従って、判断ユニット（１１２）は、オーディオ切換えモジュール（１１０）の切換え作動を制御する。
【００１７】
制御モジュール（１０６）は、記憶ユニット（１１１）に存するインターネット通信ソフトウェア（例えば、ＳＫＹＰＥ）を実行し、或いは、無線アイフォーンモジュール（１０９）を制御して、無線通信技術を用いて、無線インターネット（２０）から、来電パケット信号Ｓ１を捕獲する。そして、この来電パケット信号Ｓ１を処理して、オーディオコーデックユニット（１０７）に対して、音声信号Ｓ２を出力する。
オーディオコーデックユニット（１０７）は、音声信号Ｓ２に対して、復号運算を行い、デジタル形態の音声信号Ｓ２をアナログ形態の音声信号Ｓ２に復号する。
【００１８】
ユーザーは、制御モジュール（１０６）に接続されたボタンモジュール（１０３）を操作して、電話番号や各機能指令を、制御モジュール（１０６）に対して提供し、電話番号をダイヤルする。或いは、かかってきた電話を受けて通話するとともに各アイフォーンの機能を実行でき、或いは、制御モジュール（１０６）に接続されたディスプレー（１０２）を用いて、各機能をブラウズできる。
【００１９】
オーディオ切換えモジュール（１１０）は、エコー消去回路（１０８）を介して、オーディオコーデックユニット（１０７）と判断ユニット（１１２）に接続される。オーディオ切換えモジュール（１１０）は、アナログ形態である音声信号Ｓ２を受信し、また、判断ユニット（１１２）によって制御されて、音声信号Ｓ２の転送経路を切換える。
また、オーディオ切換えモジュール（１１０）は、更に、スピーカー（１０４）とコード収納ユニット（１０１）と接続し、スピーカー（１０４）で、音声拡大機能を提供する。
コード収納ユニット（１０１）は、イヤホン（１００）を接続することに供される。また、イヤホン（１００）が、コード収納ユニット（１０１）に対して、引き出されるか捲き戻されることに供される。
【００２０】
判断ユニット（１１２）は、イヤホン（１００）が、コード収納ユニット（１０１）に対して、引き出されているか、捲き戻されていることにより、高電位や低電位の判断信号Ｓ３を、オーディオ切換えモジュール（１１０）に対して出力する。これにより、音声信号Ｓ２の転送経路の切換えを制御することにより、スピーカー（１０４）やイヤホン（１００）に判断信号Ｓ３が転送される。
低電位の判断信号Ｓ３は、オーディオ切換えモジュール（１１０）が、音声信号Ｓ２をスピーカー（１０４）に転送するように制御する。スピーカー（１０４）により音声が拡大出力され、また、エコー消去回路（１０８）に接続されたマイク（１０５）により、通話の目的を実現できる。また、高電位の判断信号Ｓ３は、オーディオ切換えモジュール（１１０）が、音声信号Ｓ２をイヤホン（１００）に転送するように制御し、エコー消去回路（１０８）に接続されたマイク（１０５）により、通話の目的を実現できる。前記のエコー消去回路（１０８）は、スピーカー（１０４）とマイク（１０５）との作動により生成した音響共鳴（ＥＣＨＯ）を消去する。
【００２１】
また、前記の高電位や低電位による判断信号Ｓ３により、オーディオ転送経路の切換えを制御するのは、単に本考案の実施例にすぎず、本実施例と同じ効果が得られる他の方式であれば、本実施例の考案の技術的範囲に含まれる。
【００２２】
図３を参照しつつ、図４を参照する。
図４は、本考案の第１の実施例のコード収納ユニット機構の概念図である。
本考案の第１の実施例のコード収納ユニット（１０１）は、コード槽（１０１０）とコード捲きロール（１０１２）、通信コード（１０１４）及び竹の子ばね（１０１６）を備える。コード捲きロール（１０１２）と竹の子ばね（１０１６）は、コード槽（１０１０）に枢着され、また、通信コード（１０１４）は、転動可能なコード捲きロール（１０１２）に捲き付けられる。通信コード（１０１４）は、竹の子ばね（１０１６）とコード捲きロール（１０１２）により、引き出されることや捲き戻されることができるように、転動可能である。また、通信コード（１０１４）は、一端がオーディオ切換えモジュール（１１０）に接続され、他端が、イヤホン（１００）に接続される。
【００２３】
図３と図４を参照しつつ、図５を参照する。
図５は、本考案の第１の実施例の判断ユニットとオーディオ切換えモジュールの回路概念図である。
図５のように、判断ユニット（１１２）は、フックスイッチＳＷ１を備える。フックスイッチＳＷ１の一端に、高電位信号源ＶＢＡＴが接続される。フックスイッチＳＷ１の他端に、抵抗Ｒ１を介して、低電位信号源Ｇがオーディオ切換えモジュール（１１０）に接続される。フックスイッチＳＷ１は、通信コード（１０１４）が、引き出されるか捲き戻されるかに従って、スイッチＳＷ１を切換え、オーディオ切換えモジュール（１１０）に対して、高電位や低電位の判断信号Ｓ３を提供し、音声信号Ｓ２の切換え出力を制御する。
【００２４】
無線アイフォーン装置（１０）が電話を受けたときにおいて、ユーザー（４）が、手持ちモードを選択して通話する場合、コード収納ユニット（１０１）が、捲き戻される状態になり、フックスイッチＳＷ１が、オフ状態（ＯＦＦ）になる。この時、低電位信号源Ｇから、抵抗Ｒ１を介して、オーディオ切換えモジュール（１１０）に、低電位の判断信号Ｓ３を提供し、制御チップＵ１の作動をイネーブルして、音声信号Ｓ２が、インダクタＬ１と制御チップＵ１を介して、スピーカー（１０４）に送られて音声拡大される。
尚、制御チップＵ１の品番は、ＮＬＡＳＢ３１５７である。
【００２５】
また、ユーザー（４）が、イヤホンハンドフリーモードを選択して通話する場合、コード収納ユニット（１０１）が、引き出される状態になり、フックスイッチＳＷ１が、オン状態（ＯＮ）になる。この時、高電位信号源ＶＢＡＴから、オーディオ切換えモジュール（１１０）に対して高電位の判断信号Ｓ３が送られ、制御チップＵ２の作動をイネーブルして、音声信号Ｓ２が、インダクタＬ２と制御チップＵ２を介して、イヤホン（１００）に送られることにより、通話が可能となる。
尚、制御チップＵ２の品番は、ＮＬＡＳＢ３１５７である。
【００２６】
以上のように、本考案の第１の実施例の無線アイフォーン装置（１０）は、イヤホンハンドフリーモードを提供し、ユーザー（４）が、携帯電話を持って無線アイフォーンにより通話する場合、手が疲れることや、また、自動車や自転車を走行中の通話行為の危険性を低減できる。そのため、本考案の第１の実施例の無線アイフォーン装置（１０）は、生活や仕事においての通話品質や通話便利性が、大幅に向上される。
【００２７】
図６は、本考案の第２の実施例の通信概念図である。
図６に示す如く、本考案の第２の実施例のハンドフリーの無線アイフォーン装置（３）は、無線インターネット（２０）に通信可能とされ、或いは、無線インターネット（２０）を介してアイフォーン通信（ＶｏＩＰ）が行われる。
無線アイフォーン装置（３）は、信号転送端（３２０）を有するブルートゥースイヤホン（３２）と、イヤホン収納槽（３０１）と制御回路板（図示せず）を有する電話本体（３０）を備える。
イヤホン収納槽（３０１）は、ブルートゥースイヤホン（３２）を収納する。ブルートゥースイヤホン（３２）の信号転送端（３２０）は、制御回路板に電気的に接続される。
【００２８】
また、ユーザーは、電話本体（３０）のボタンモジュール（３０３）を操作することにより、電話番号をダイヤルし、または、電話を受けることが可能である。そして、ユーザーは、各アイフォーンの機能を実行でき、また、電話本体（３０）のディスプレー（３０２）を用いて、各機能をブラウズできる。
更に、無線アイフォーン装置（３）は、電話を通信する時、ユーザー（４）が、スピーカー（３０４）から受け取ったオーディオ（音声）を聞取り、同時に、マイク（３０５）を介して返事をし、アイフォーンで通信することを可能とする。或いは、ブルートゥースイヤホン（３２）で、アイフォーンのハンドフリー通信を行うことができる。
【００２９】
図６を参照しつつ、図７を参照する。
図７は、本考案の操作環境の第２の実施例の概念図である。
ユーザー（４）は、本考案に係る無線アイフォーン装置（３）を装着し、そして、無線インターネット（２０）と通信接続状態にする。無線アイフォーン装置（３）が電話を受けると、ユーザー（４）は、手で無線アイフォーン装置（３）を持ち、直接的に、ユーザー（４）の耳に無線アイフォーン装置（３）を近付けるようにして、通話することができる。
或いは、ユーザー（４）は、ブルートゥースイヤホン（３２）を取り出して、ユーザー（４）の耳上に設置し、ブルートゥースイヤホンハンドフリーモードを利用して通話することができる。ユーザー（４）が、ブルートゥースイヤホンハンドフリーモードである場合、通話をしながら、スクリーンブラウズやインターネットデータ受信を操作でき、通話の品質が向上することとなる。
【００３０】
図６を参照しつつ、図８を参照する。
図８は、本考案の第２の実施例の電話本体の回路ブロックの概念図である。
本考案の電話本体（３０）の制御回路板は、制御モジュール（３０６）と無線アイフォーンモジュール（３０９）、オーディオコーデックユニット（３０７）、エコー消去回路（３０８）、マイク（３０５）、オーディオ切換えモジュール（３１０）、スピーカー（３０４）、記憶ユニット（３１１）、判断と充電回路（３１２）及びブルートゥースモジュール（３１３）を備える。
【００３１】
図６と図７及び図８を参照する。
ブルートゥースモジュール（３１３）は、制御モジュール（３０６）に接続されるとともに制御モジュール（３０６）によって制御され、ブルートゥースイヤホン（３２）と、音声無線転送を行う。
無線アイフォーンモジュール（３０９）は、制御モジュール（３０６）に接続されるとともに制御モジュール（３０６）によって制御される。或いは、無線インターネット（２０）に通信可能とされて、アイフォーン通信サービスを提供する。
オーディオコーデックユニット（３０７）は、制御モジュール（３０６）に接続されるとともに制御モジュール（３０６）によって制御され、アナログオーディオとデジタルオーディオの変換を行う。
判断と充電回路（３１２）は、制御モジュール（３０６）に接続され、イヤホン収納槽（３０１）にブルートゥースイヤホン（３２）が収納されているかを判断する。判断と充電回路（３１２）は、ブルートゥースイヤホン（３２）の信号転送端（３２０）が、電気的に接続されるか否かにより、ブルートゥースイヤホン（３２）が、イヤホン収納槽（３０１）に収納されているかを判断する。
イヤホン収納槽（３０１）にブルートゥースイヤホン（３２）が収納されている時、ブルートゥースイヤホン（３２）に対して充電を行なう。オーディオ切換えモジュール（３１０）は、制御モジュール（３０６）とブルートゥースモジュール（３１３）及びオディオコーデックユニット（３０７）に接続され、これらは、制御モジュール（３０６）によって制御され、オーディオ転送経路を切換えられる。
エコー消去回路（３０８）は、オーディオ切換えモジュール（３１０）とスピーカー（３０４）及びマイク（３０５）に接続され、スピーカー（３０４）とマイク（３０５）の作動により生成された音響共鳴（ＥＣＨＯ）を消去する。
【００３２】
制御モジュール（３０６）は、記憶ユニット（３１１）に存するインターネット通信ソフトウェア（例えば、ＳＫＹＰＥ）を実行する。または、無線アイフォーンモジュール（３０９）を制御して、無線通信技術を用いて、無線インターネット（２０）から、来電パケット信号Ｓ１を捕獲し、そして、この来電パケット信号Ｓ１を処理して、オーディオコーデックユニット（３０７）に対して、音声信号Ｓ２を出力する。オーディオコーデックユニット（３０７）は、音声信号Ｓ２に対して、復号運算を行い、デジタル形態の音声信号Ｓ２を、アナログ形態の音声信号Ｓ２に復号する。
【００３３】
この時、判断と充電回路（３１２）は、制御モジュール（３０６）に対して、通知指令を送信し、ブルートゥースイヤホン（３２）と電話本体（３０）とが分離しているかを知らせる。
ブルートゥースイヤホン（３２）が、電話本体（３０）に接続される場合、制御モジュール（３０６）を用いて、オーディオ切換えモジュール（３１０）を制御してオーディオ転送経路を切換え、オーディオコーデックユニット（３０７）とスピーカー（３０４）及びマイク（３０５）により、オーディオ転送経路が構築される。
また、判断と充電回路（３１２）が、電話本体（３０）に収納されているブルートゥースイヤホン（３２）に対して、充電を行う。前記のオーディオ切換えモジュール（３１０）は、エコー消去回路（３０８）を介して、スピーカー（３０４）とマイク（３０５）に接続される。また、エコー消去回路（３０８）は、スピーカー（３０４）とマイク（３０５）の作動により生成された音響共鳴（ＥＣＨＯ）を消去する。
【００３４】
また、制御モジュール（３０６）は、ブルートゥースイヤホン（３２）と電話本体（３０）とが分離していることを判別すると、オーディオ切換えモジュール（３１０）を制御して、オーディオ転送経路を切換え、オーディオコーデックユニット（３０７）とブルートゥースモジュール（３１３）とのオーディオ転送経路が構築される。この時、制御モジュール（３０６）は、ブルートゥースモジュール（３１３）とブルートゥースイヤホン（３２）とが、音声無線転送を行うように制御し、無線通話の機能が実現される。
【００３５】
ユーザー（４）は、制御モジュール（３０６）に接続されたボタンモジュール（３０３）を操作して、電話番号や各機能指令を、制御モジュール（３０６）に対して提供し、電話番号をダイヤルし、或いは、電話を受け、そして、各アイフォーンの機能を実行できる。更には、制御モジュール（３０６）に接続されたディスプレー（３０２）で、各機能をブラウズできる。
【００３６】
以上のように、本考案は、ハンドフリーの無線アイフォーン装置を提供する。本考案に係る装置を用いて、無線インターネットを介して、アイフォーン通信を実行可能であるとともに有線イヤホンモードハンドフリーやブルートゥースイヤホンモードハンドフリーを利用できるため、ハンドフリーの機能が実現される。更に、ハンドフリーの機能が得られるため、ユーザー（４）が、携帯電話を持って無線アイフォーンを利用して通話する時、手が疲れ、また、自転車や自動車を走行中である場合における通話行為の危険を低減できる。これにより、本考案は、生活や仕事においての通話品質や通話便利性が、大幅に向上する。
【００３７】
そのため、本考案は、実用新案登録請求の進歩性要件を有し、より進歩的かつより実用的であるため、法に従って実用新案登録請求を出願する。
【００３８】
以上の説明は、単に、本考案の最良の実施例を示すにすぎず、本考案は、それによって制限されることがなく、本考案に係る実用新案登録請求の範囲や明細書の内容に基づいて行った等価の変更や修正は、全てが、本考案の実用新案登録請求の範囲内に含まれる。
【図面の簡単な説明】
【００３９】
【図１】本考案の第１の実施例の通信概念図である。
【図２】本考案の操作環境の第１の実施例の概念図である。
【図３】本考案の第１の実施例の回路ブロックの概念図である。
【図４】本考案の第１の実施例のコード収納ユニット機構の概念図である。
【図５】本考案の第１の実施例の判断ユニットとオディオ切換えモジュールの回路概念図である。
【図６】本考案の第２の実施例の通信概念図である。
【図７】本考案の操作環境の第２の実施例の概念図である。
【図８】本考案の第２の実施例の電話本体の回路ブロックの概念図である。
【符号の説明】
【００４０】
１０          無線アイフォーン装置
１００        イヤホン
１０１        コード収納ユニット
１０１０      コード槽
１０１２      コード捲きロール
１０１４      通信コード
１０１６      竹の子ばね
１０２        ディスプレー
１０３        ボタンモジュール
１０４        スピーカー
１０５        マイク
１０６        制御モジュール
１０７        オーディオコーデックユニット
１０８        エコー消去回路
１０９        無線アイフォーンモジュール
１１０        オーディオ切換えモジュール
１１１        記憶ユニット
１１２        判断ユニット
２０          無線インターネット
３            無線アイフォーン装置
３０          電話本体
３０１        イヤホン収納槽
３０２        ディスプレー
３０３        ボタンモジュール
３０４        スピーカー
３０５        マイク
３０６        制御モジュール
３０７        オーディオコーデックユニット
３０８        エコー消去回路
３０９        無線アイフォーンモジュール
３１０        オーディオ切換えモジュール
３１１        記憶ユニット
３１２        判断と充電回路
３１３        ブルートゥースモジュール
３２          ブルートゥースイヤホン
３２０        信号転送端
４            ユーザー
Ｓ１          来電パケット信号
Ｓ２          音声信号
Ｓ３          判断信号
ＳＷ１        フックスイッチ
ＶＢＡＴ      高電位信号源
Ｒ１          抵抗
Ｇ            低電位信号源
Ｕ１          制御チップ
Ｕ２          制御チップ
Ｌ１          インダクタ
Ｌ２          インダクタ
【図１】
0003134824.tif 000003
【図２】
0003134824.tif 000004
【図３】
0003134824.tif 000005
【図４】
0003134824.tif 000006
【図５】
0003134824.tif 000007
【図６】
0003134824.tif 000008
【図７】
0003134824.tif 000009
【図８】
0003134824.tif 000010